(57)【要約】【課題】実際の印刷物及び最終生産物に近い形で仮想印刷物を画面上に表示し、印刷物及び最終生産物の形態を考慮して、仮想印刷物に対する面付け作業を行う。【解決手段】データ生成装置（１０）は、最終生産物及び印刷物の形態に関わる形態情報を選択する形態情報選択部（３０）と、選択した形態情報を取得する情報取得部（４２、５２、６２、６４）と、取得した形態情報に基づいて印刷物を模擬した仮想印刷物に対する面付けを行って面付けデータを生成する面付け処理部（５４）と、仮想印刷物に対する面付けの過程を三次元表示する表示部（２８）とを有する。【選択図】図２
2014191388.tif 000002
【特許請求の範囲】
【請求項１】
複数のページ領域を有する少なくとも１枚の印刷物に対して面付けを行うための面付けデータを生成するデータ生成装置であって、
前記印刷物に後加工処理を施すことにより得られる最終生産物及び前記印刷物の形態に関わる形態情報を選択する形態情報選択部と、
前記形態情報選択部が選択した形態情報を取得する情報取得部と、
前記情報取得部が取得した前記形態情報に基づいて、前記印刷物を模擬した仮想印刷物に対する面付けを行うことにより、前記面付けデータを生成する面付け処理部と、
前記面付け処理部での前記仮想印刷物に対する面付けの過程を三次元表示する表示部と、
を有することを特徴とするデータ生成装置。
【請求項２】
請求項１記載のデータ生成装置において、
前記形態情報は、前記印刷物の素材、前記後加工処理で前記印刷物を折って折り丁を形成する際の前記折り丁の綴じ方向及び綴じ方、並びに、前記印刷物でのページのレイアウトに関する情報であることを特徴とするデータ生成装置。
【請求項３】
請求項２記載のデータ生成装置において、
前記印刷物の素材に関する情報とは、前記印刷物を構成する紙の種類、サイズ、材質、坪量、剛性及び光沢を含む紙情報であることを特徴とするデータ生成装置。
【請求項４】
請求項３記載のデータ生成装置において、
複数種類の紙の紙情報が蓄積された紙情報蓄積部をさらに有し、
前記形態情報選択部は、前記紙情報蓄積部に蓄積された前記各紙情報のうち、いずれか１つの紙情報を選択し、
前記情報取得部は、前記形態情報選択部が選択した前記１つの紙情報に応じた紙厚を取得する紙厚情報取得部と、前記印刷物に面付けされるページ数及び前記紙厚に基づいて前記最終生産物のクリープ量を算出するクリープ量算出部とを含み、
前記面付け処理部は、前記紙厚、前記クリープ量、前記折り丁の綴じ方向及び綴じ方、並びに、前記ページのレイアウトに基づいて、前記面付けデータを生成することを特徴とするデータ生成装置。
【請求項５】
複数のページ領域を有する少なくとも１枚の印刷物に対して面付けを行うための面付けデータを生成するデータ生成方法であって、
前記印刷物に後加工処理を施すことにより得られる最終生産物及び前記印刷物の形態に関わる形態情報を形態情報選択部で選択し、
前記形態情報選択部が選択した形態情報を情報取得部で取得し、
前記情報取得部が取得した前記形態情報に基づいて、前記印刷物を模擬した仮想印刷物に対する面付けを面付け処理部で行うことにより、前記面付けデータを生成し、
前記面付け処理部による前記仮想印刷物に対する面付けの過程を表示部で三次元表示することを特徴とするデータ生成方法。
【請求項６】
複数のページ領域を有する少なくとも１枚の印刷物に対して面付けを行うための面付けデータを生成する手段としてコンピュータを機能させるためのプログラムであって、
前記印刷物に後加工処理を施すことにより得られる最終生産物及び前記印刷物の形態に関わる形態情報を選択する形態情報選択部と、
前記形態情報選択部が選択した形態情報を取得する情報取得部と、
前記情報取得部が取得した前記形態情報に基づいて、前記印刷物を模擬した仮想印刷物に対する面付けを行うことにより、前記面付けデータを生成する面付け処理部と、
前記面付け処理部による前記仮想印刷物に対する面付けの過程を三次元表示する表示部と、
して前記コンピュータを機能させることを特徴とするプログラム。
【発明の詳細な説明】
【技術分野】
【０００１】
この発明は、複数のページ領域を有する少なくとも１枚の印刷物に対して面付けを行うための面付けデータを生成するデータ生成装置及びデータ生成方法、並びに、前記面付けデータを生成する手段としてコンピュータを機能させるプログラムに関する。
【背景技術】
【０００２】
近時、印刷製版の分野において、中間成果物を生成せずに電子データから刷版を直接形成するＣＴＰ（Ｃｏｍｐｕｔｅｒ  Ｔｏ  Ｐｌａｔｅ）が普及している。この場合、電子データを作成する工程として、複数のページを印刷物に面付けするための面付けデータを生成する工程がある。
【０００３】
例えば、特許文献１には、印刷物を模擬した仮想印刷物を表示部の画面上に二次元表示しつつ、当該仮想印刷物に対する面付けを行うことが開示されている。この場合、ユーザは、二次元表示された仮想印刷物を見ながら操作部を操作することにより、当該仮想印刷物に対する面付けを行い、面付けデータを作成する。この結果、面付け後の仮想印刷物は、画面上に三次元表示される。
【先行技術文献】
【特許文献】
【０００４】
【特許文献１】特開２０１１−２４２９７７号公報
【発明の概要】
【発明が解決しようとする課題】
【０００５】
ところで、面付けデータを用いて面付けされた印刷物に後加工処理を施すことにより最終生産物（例えば、本）が得られる場合、最終生産物を構成する紙の材質、紙厚、光沢等の違いによって、ページを捲ったときの紙の曲がり具合や、本の外観が異なってくる。また、本の綴じ方向や綴じ方によっても、本の外観が異なってくる場合がある。
【０００６】
従って、面付けを容易に且つ効率よく行うためには、印刷物及び最終生産物の形態も考慮して、仮想印刷物に対する面付けを行うことが望ましい。
【０００７】
しかしながら、特許文献１の技術では、表示部の画面上に仮想印刷物を二次元表示した状態で、平面的に面付けを行っている。そのため、実際の印刷物及び最終生産物に近い立体的な形で面付けが行われていない。
【０００８】
本発明は、このような課題を考慮してなされたものであり、実際の印刷物及び最終生産物に近い形で仮想印刷物を画面上に表示し、前記印刷物及び前記最終生産物の形態を考慮して、当該仮想印刷物に対する面付けを行うことができるデータ生成装置、データ生成方法及びプログラムを提供することを目的とする。
【課題を解決するための手段】
【０００９】
本発明は、複数のページ領域を有する少なくとも１枚の印刷物に対して面付けを行うための面付けデータを生成するデータ生成装置及びデータ生成方法、並びに、前記面付けデータを生成する手段としてコンピュータを機能させるためのプログラムに関するものである。
【００１０】
そして、本発明は、上記の目的を達成するために、下記の構成を有する。
【００１１】
すなわち、本発明に係るデータ生成装置は、印刷物に後加工処理を施すことにより得られる最終生産物及び前記印刷物の形態に関わる形態情報を選択する形態情報選択部と、前記形態情報選択部が選択した形態情報を取得する情報取得部と、前記情報取得部が取得した前記形態情報に基づいて、前記印刷物を模擬した仮想印刷物に対する面付けを行うことにより面付けデータを生成する面付け処理部と、前記面付け処理部での前記仮想印刷物に対する面付けの過程を三次元表示する表示部とを有する。
【００１２】
また、本発明に係るデータ生成方法は、印刷物に後加工処理を施すことにより得られる最終生産物及び前記印刷物の形態に関わる形態情報を形態情報選択部で選択し、前記形態情報選択部が選択した形態情報を情報取得部で取得し、前記情報取得部が取得した前記形態情報に基づいて、前記印刷物を模擬した仮想印刷物に対する面付けを面付け処理部で行うことにより面付けデータを生成し、前記面付け処理部による前記仮想印刷物に対する面付けの過程を表示部で三次元表示する。
【００１３】
さらに、本発明に係るプログラムは、印刷物に後加工処理を施すことにより得られる最終生産物及び前記印刷物の形態に関わる形態情報を選択する形態情報選択部と、前記形態情報選択部が選択した形態情報を取得する情報取得部と、前記情報取得部が取得した前記形態情報に基づいて、前記印刷物を模擬した仮想印刷物に対する面付けを行うことにより面付けデータを生成する面付け処理部と、前記面付け処理部による前記仮想印刷物に対する面付けの過程を三次元表示する表示部としてコンピュータを機能させる。
【００１４】
このように、本発明では、仮想印刷物に対する面付けの過程を表示部に三次元表示させる。また、本発明では、実際の印刷物及び最終生産物の形態に関わる形態情報を考慮して、前記仮想印刷物に対する面付けを行い、面付けデータを生成する。この場合、形態情報選択部で選択された形態情報に基づいて面付けデータが生成される。すなわち、前記形態情報選択部で選択される形態情報と、面付けの過程で前記表示部に三次元表示される前記面付けデータとは、一意に対応付けられている。
【００１５】
これにより、前記印刷物及び前記最終生産物の形態に近い形で、前記仮想印刷物を前記表示部に三次元表示させ、当該仮想印刷物に対する面付けを行うことができる。そのため、ユーザは、表示部に表示された三次元モデルである仮想印刷物を操作して、所望の面付けデータを生成することができる。従って、本発明では、前記仮想印刷物に対する面付けを容易に且つ効率よく行うことが可能となる。
【００１６】
なお、前記データ生成装置を上記のように機能させるためには、例えば、前記データ生成装置がＧＵＩ（Ｇｒａｐｈｉｃａｌ  Ｕｓｅｒ  Ｉｎｔｅｒｆａｃｅ）の機能を具備することが好ましい。これにより、ユーザは、前記表示部の画面上に三次元表示された前記仮想印刷物を見ながら、前記形態情報選択部を操作して所望の形態情報を選択することができる。この結果、選択した前記形態情報に応じて前記仮想印刷物の見え方を変化させることができる。つまり、実際の印刷物及び最終生産物により近い形で前記仮想印刷物を表示させることが可能となる。
【００１７】
また、上記のように、形態情報は、印刷物及び最終生産物の形態に関するものであればよい。このような情報には、例えば、前記印刷物の素材、後加工処理で前記印刷物を折って折り丁を形成する際の前記折り丁の綴じ方向及び綴じ方、並びに、前記印刷物でのページのレイアウトがある。また、前記印刷物の素材に関する情報には、前記印刷物を構成する紙の種類、サイズ、材質、坪量、剛性及び光沢を含む紙情報がある。
【００１８】
そして、データ生成装置は、複数種類の紙の紙情報が蓄積された紙情報蓄積部をさらに有することが好ましい。
【００１９】
この場合、形態情報選択部は、前記紙情報蓄積部に蓄積された前記各紙情報のうち、いずれか１つの紙情報を選択する。また、情報取得部は、紙厚情報取得部が形態情報選択部で選択した１つの紙情報に応じた紙厚を取得する。さらに、クリープ量算出部は、前記印刷物に面付けされるページ数及び前記紙厚に基づいて、最終生産物のクリープ量を算出する。
【００２０】
これにより、面付け処理部は、前記紙厚、前記クリープ量、折り丁の綴じ方向及び綴じ方、並びに、ページのレイアウトに基づいて、面付けデータを生成することができる。
【００２１】
従って、ユーザが前記形態情報選択部を操作して１つの紙情報を選択すると、前記データ生成装置内では、前記紙厚を自動的に取得し、前記クリープ量を自動的に算出する。これにより、前記紙厚及び前記クリープ量も含めて前記面付けデータに反映することができる。この結果、実際の印刷物により近い形態で前記仮想印刷物を三次元表示させることが可能となり、面付けを一層容易に行うことができる。
【発明の効果】
【００２２】
本発明によれば、仮想印刷物に対する面付けの過程を表示部に三次元表示させる。また、本発明では、実際の印刷物及び最終生産物の形態に関わる形態情報を考慮して、前記仮想印刷物に対する面付けを行い、面付けデータを生成する。この場合、形態情報選択部で選択された形態情報に基づいて面付けデータが生成される。すなわち、前記形態情報選択部で選択される形態情報と、面付けの過程で前記表示部に三次元表示される前記面付けデータとは、一意に対応付けられている。
【００２３】
これにより、前記印刷物及び前記最終生産物の形態に近い形で、前記仮想印刷物を前記表示部に三次元表示させ、当該仮想印刷物に対する面付けを行うことができる。そのため、ユーザは、表示部に表示された三次元モデルである仮想印刷物を操作して、所望の面付けデータを生成することができる。従って、本発明では、前記仮想印刷物に対する面付けを容易に且つ効率よく行うことが可能となる。
【図面の簡単な説明】
【００２４】
【図１】本実施形態に係るデータ生成装置が組み込まれた印刷システムの概略説明図である。
【図２】図１のデータ生成装置の機能ブロック図である。
【図３】面付け作業のフローチャートである。
【図４】３Ｄビュー画面を起動した状態を示す説明図である。
【図５】３Ｄビュー画面に表示された紙に所望のページをドラッグさせた状態を示す説明図である。
【図６】１枚の紙に２ページ分を面付けした状態を示す説明図である。
【図７】３Ｄビュー画面に仮想印刷物と綴じ方向及び綴じ方とを表示させた状態を示す説明図である。
【図８】紙情報を表示させた状態を示す説明図である。
【図９】図９Ａは、所定のクリープ量がある仮想印刷物を三次元表示させた状態を示す説明図であり、図９Ｂは、クリープ量が略０の仮想印刷物を三次元表示させた状態を示す説明図である。
【図１０】３Ｄビュー画面上で仮想印刷物のページをめくる状態を三次元表示させた場合を示す説明図である。
【図１１】面付け後の仮想印刷物を二次元表示させた状態を示す説明図である。
【発明を実施するための形態】
【００２５】
本発明に係るデータ生成装置について、それを実施するデータ生成方法及びプログラムとの関係において好適な実施形態を挙げ、添付の図面を参照しながら、以下詳細に説明する。
【００２６】
［本実施形態の構成］
図１は、本実施形態に係るデータ生成装置１０が組み込まれた印刷システム１２の概略説明図である。印刷システム１２は、製版サイト１４、印刷サイト１６、製本サイト１８、データベースサーバ２０、及び、ＬＡＮ２２を基本的に備える。製版サイト１４は、データ生成装置１０及び校正機２４を備える。
【００２７】
データ生成装置１０は、ページ記述言語（以下、ＰＤＬという。）によるページ単位の編集データ（ページ記述データ）、例えば、４色（ＣＭＹＫ）や３色（ＲＧＢ）のカラーチャンネルからなるＰＤＬ形式のデータを生成する。
【００２８】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００２９】
データ生成装置１０は、ページ単位の編集データに対して、所望の画像処理、例えば、プレフライト処理、色変換処理、又は、配置処理等を行った後、ラスタ形式のデータ（例えば、ビットマップやＴＩＦＦ）に変換し、印刷データを校正機２４に送信する各機能を有している。
【００３０】
データ生成装置１０は、本体部２６、表示部２８並びに入力部３０（キーボード３２及びマウス３４）を備える。ポインティングデバイスとしてのマウス３４に代替し、トラックパッドやトラックボールを用いてもよい。
【００３１】
校正機２４は、校正するための校正刷り３６を得る出力装置である。校正機２４として、オフセット印刷機と同等の印刷性能を備えるＤＤＣＰ（Ｄｉｒｅｃｔ  Ｄｉｇｉｔａｌ  Ｃｏｌｏｒ  Ｐｒｏｏｆｅｒ）、インクジェットカラープルーファ、低解像度のカラーレーザプリンタ（電子写真方式）やインクジェットプリンタ等が用いられる。
【００３２】
データベースサーバ２０は、最終印刷物４０（最終生産物）の生産に必要な各種データファイルを保存、更新、削除等する。各種データファイルには、図示しない制作会社からの素材データ（コンテンツ）、校正データ、刷版用データ、ジョブチケット（例えば、ＪＤＦ（Ｊｏｂ  Ｄｅｆｉｎｉｔｉｏｎ  Ｆｏｒｍａｔ）ファイル）、ＩＣＣ（Ｉｎｔｅｒｎａｔｉｏｎａｌ  Ｃｏｌｏｒ  Ｃｏｎｓｏｒｔｉｕｍ）プロファイル、色見本データ等が含まれる。
【００３３】
ＬＡＮ２２は、イーサネット（登録商標）等の通信規格に基づいて構築されている。そして、ＬＡＮ２２を介して、製版サイト１４、印刷サイト１６及びデータベースサーバ２０が相互に接続されている。例えば、製版サイト１４と印刷サイト１６とが地理的に離れている場合、ＬＡＮ２２を介して、刷版用データは、製版サイト１４と印刷サイト１６との間で授受される。
【００３４】
印刷サイト１６には、刷版用データを用いて所望の画像処理を行う画像処理装置、刷版を作成するためのプレートセッタ、所望の画像を各種メディアに印刷して印刷物（複数の端物３８）を得るオフセット印刷機等が配置されている。なお、プレートセッタ及びオフセット印刷機に代替して、刷版用データから直接印刷可能なデジタル印刷機を設けてもよい。
【００３５】
製本サイト１８には、印刷サイト１６側から供給された複数の端物３８に対して、表面処理、紙折り、丁合い、綴じ、断裁、表紙貼り等の生産工程（後加工処理）を実行する各種装置が配置されている。そして、前記生産工程が順次実行されることで、最終印刷物４０（本図例では上製本）が生産される。
【００３６】
図２は、図１に示すデータ生成装置１０の機能ブロック図である。本体部２６は、制御部４２（情報取得部）、通信Ｉ／Ｆ４４、表示制御部４６、印刷Ｉ／Ｆ４８及びメモリ５０を備える。
【００３７】
通信Ｉ／Ｆ４４は、外部装置からの電気信号を送受信するインターフェースである。例えば、図示しない制作会社から提供された素材データを取得可能である。また、データベースサーバ２０で管理・保存された刷版用データ、ＩＣＣプロファイル等の各種情報を取得可能である。
【００３８】
表示制御部４６は、制御部４２の制御に従って、表示部２８を駆動制御する制御回路である。表示制御部４６が、図示しないＩ／Ｆを介して、表示制御信号を表示部２８に出力することで、表示部２８が駆動する。これにより、表示部２８は、各種画像を表示することができる。
【００３９】
印刷Ｉ／Ｆ４８は、印刷データとしての電気信号を送信するインターフェースである。印刷Ｉ／Ｆ４８を介して、校正機２４は、所望の校正刷り３６を印刷することができる。
【００４０】
メモリ５０は、制御部４２が各部を制御するのに必要なプログラム及びデータ等を記憶している。また、メモリ５０には、紙情報蓄積部６６が設けられている。紙情報蓄積部６６は、端物３６及び最終印刷物４０として印刷可能な複数種類の紙の情報（紙情報）が蓄積されている。具体的に、紙情報は、端物３８を構成する紙の種類、サイズ、材質、坪量、剛性及び光沢を含む。すなわち、紙情報は、端物３８を構成する紙の素材に関する情報である。
【００４１】
制御部４２は、ＣＰＵ等のプロセッサによって構成されている。制御部４２は、メモリ５０に格納されたプログラムを読み出し実行することで、サイズ設定部５２、面付け処理部５４、ＲＩＰ処理部５６、形状モデル決定部５８、３Ｄデータ作成部６０、紙厚情報取得部６２、クリープ量算出部６４の機能を実現可能である。また、表示部２８の表示内容を見たユーザが、入力部３０（形態情報選択部）を操作して所定の指示を行った場合に、制御部４２の各部は、当該指示に応じた処理を行う。すなわち、データ生成装置１０は、表示部２８の表示内容を見たユーザによる入力部３０の操作に応じて、所定の処理を行うＧＵＩの機能を具備する。
【００４２】
具体的に、サイズ設定部５２（情報取得部）は、端物３８に対して面付けを行うための面付けデータを面付け処理部５４が生成する場合に、紙情報蓄積部６６に蓄積された複数の紙情報に含まれる紙のサイズのうち、ユーザが入力部３０を操作して指定した紙のサイズを、印刷サイト１６から出力される端物３８の紙サイズとして設定する。
【００４３】
また、ユーザが入力部３０を操作して、紙情報蓄積部６６に蓄積された複数の紙情報のうち、所望の紙に応じた紙情報を選択した場合、紙厚情報取得部６２（情報取得部）は、選択された紙情報を用いて、当該紙情報に応じた紙厚を算出する。また、クリープ量算出部６４（情報取得部）は、端物３８に面付けされるページ数及び紙厚に基づいて、最終印刷物４０のクリープ量を算出する。
【００４４】
面付け処理部５４は、端物３８を模擬した仮想印刷物に面付けを行うことにより、端物３８に対して面付けを行うための面付けデータを生成する。この場合、面付け処理部５４は、紙サイズ、紙厚、クリープ量、紙情報等の端物３８及び最終印刷物４０の形態に関わる形態情報に基づいて、面付けデータを作成する。
【００４５】
すなわち、面付け処理部５４は、端物３８及び最終印刷物４０の形態情報を考慮しつつ、文字、図形、絵柄や写真等から構成される素材データから、ページ単位の編集データを作成する。そして、面付け処理部５４は、指定された綴じ方法、綴じ方、紙折り方法等の形態情報に基づいて、設定された紙サイズの紙（仮想印刷物）上に、ページ単位で面付けするための面付けデータ（例えば、ジョブチケット）を作成する。
【００４６】
なお、以下の説明において、仮想印刷物とは、端物３８を模擬した仮想の印刷物に加え、折り丁や最終印刷物４０を模擬した仮想の印刷物の意味で用いられる場合がある。
【００４７】
そして、面付け処理部５４は、面付け前の紙の状態から、仮想印刷物に面付けを行って面付けデータを生成するまでの当該面付けデータの生成過程において、当該生成過程の工程毎に、紙を含めた各種のデータをＲＩＰ処理部５６に出力する。
【００４８】
なお、面付けデータには、フォールドデータやグリッドデータがある。フォールドデータは、製本サイト１８で端物３８を折って折り丁を形成するための折り線の位置、折り線に沿って端物３８を折る方向（折りの方向）、及び、折りの順番で定義されるデータである。グリッドデータは、端物３８に面付けされた複数のページの位置、各ページのページ番号、及び、各ページの向きで定義されるデータである。
【００４９】
ＲＩＰ処理部５６は、面付け処理部５４から紙を含めたデータが入力される毎に、ＲＩＰ処理を行ってラスタ形式データに変換する。例えば、ＲＩＰ処理部５６は、面付けされた紙を示すデータが入力された場合、ページ単位の編集データを所定のデータ領域内にそれぞれ配置し、トンボ等のマーク情報を付加して、ラスタライズ処理を行うことにより、ＲＩＰ処理後の面付けデータを得る。
【００５０】
形状モデル決定部５８は、ラスタ形式データのうち、仮想印刷物の画像について、三次元の形状モデル、又は、二次元の形状モデルのどちらのモデルで表示部２８の画面上に表示させるのかを決定する。この場合、三次元の形状モデルとしては、例えば、上製本の外観、又は、上製本を開いてページを捲る状態を示す形状モデルがある。二次元の形状モデルとしては、例えば、端物３８にページを割り付けた状態を平面的に示した形状モデルがある。この場合、ユーザは、入力部３０を操作して、所望の形状モデルを形状モデル決定部５８に予め指示してもよいし、又は、上記の工程毎に、入力部３０を操作して所望の形状モデルを指示してもよい。
【００５１】
３Ｄデータ作成部６０は、形状モデル決定部５８が決定した形状モデルに従って、仮想印刷物の三次元画像（３Ｄプレビューデータ）を作成する。
【００５２】
従って、表示制御部４６は、ラスタ形式データのうち、仮想印刷物の画像については、３Ｄデータ作成部６０で作成された３Ｄプレビューデータに応じた表示制御信号を表示部２８に出力する。また、表示制御部４６は、仮想印刷物の画像以外のデータについては、該ラスタ形式データに応じた表示制御信号を表示部２８に出力する。この結果、表示部２８の画面上に、仮想印刷物を三次元表示させることができる。
【００５３】
なお、ユーザの入力部３０の操作に起因して、形状モデル決定部５８が二次元の形状モデルによる仮想印刷物の表示を決定した場合、３Ｄデータ作成部６０は、３Ｄプレビューデータの作成を停止する。この結果、表示制御部４６は、ラスタ形式データに応じた表示制御信号を表示部２８に出力し、二次元表示の仮想印刷物の画像を表示部２８の画面上に表示させる。
【００５４】
［本実施形態の動作］
本実施形態に係るデータ生成装置１０は、基本的には、以上のように構成される。次に、データ生成装置１０の動作（データ生成方法）について、図３〜図１１を参照しながら説明する。
【００５５】
ここでは、仮想印刷物への面付けによる面付けデータの生成過程に関して、表示部２８の画面上に、仮想印刷物の画像を三次元表示させる場合（３Ｄプレビューデータを表示する場合）について説明する。また、この動作説明では、一例として、ＳＲＡ３サイズの紙にＡ４サイズのページを割り当てて面付けを行う場合について説明する。さらに、この動作では、必要に応じて、図１及び図２も参照しながら説明する。
【００５６】
先ず、図３のステップＳ１において、ユーザは、入力部３０を操作し、表示部２８への紙サイズのリストの表示を指示する。これにより、制御部４２は、マウス３４からの指示内容に従って、紙情報蓄積部６６から紙サイズの情報を読み出す。ＲＩＰ処理部５６は、紙サイズの情報に応じたラスタ形式データを作成し、表示制御部４６は、ラスタ形式データの表示制御信号を表示部２８に出力する。この結果、表示部２８の画面９２には、紙情報蓄積部６６に蓄積された紙サイズのリストが表示される。
【００５７】
ユーザは、マウス３４を操作し、所望の端物３８の紙サイズ（ＳＲＡ３サイズ）を選択する。これにより、サイズ設定部５２は、入力部３０からの指示内容に応じた紙サイズを、端物３８の紙サイズとして設定する。このように、表示部２８に表示された紙サイズのリストから所望の紙サイズを予め選択して設定することにより、ユーザは、ステップＳ２以降の三次元表示での面付け作業において、紙サイズを意識することなく、作業を行うことができる。
【００５８】
ステップＳ２において、ユーザは、入力部３０を操作し、予め設定した紙サイズの紙に対して面付けを行うための画面（３Ｄビュー画面）の起動を指示する。これにより、ＲＩＰ処理部５６は、入力部３０からの指示内容に基づいて、サイズ設定部５２で設定された紙サイズの紙を含むラスタ形式データを生成する。また、形状モデル決定部５８は、前記指示内容に基づいて、前記紙を三次元の形状モデルにより表示部２８の画面上に表示させることを決定する。３Ｄデータ作成部６０は、形状モデル決定部５８での決定内容に従って、ラスタ形式データのうち、紙の画像を三次元画像（３Ｄプレビューデータ）として生成する。
【００５９】
この結果、表示制御部４６は、ラスタ形式データのうち、紙の画像については、前記３Ｄプレビューデータに応じた表示制御信号として表示部２８に出力し、一方で、３Ｄプレビューデータ以外のデータについては、該ラスタ形式データに応じた表示制御信号を表示部２８に出力する。これにより、図４に示すように、表示部２８の画面上に、３Ｄビュー画面７０が表示（起動）される。
【００６０】
図４は、３Ｄビュー画面７０の起動時の表示内容を図示している。３Ｄビュー画面７０は、相対的に広い表示領域７２と、右側に表示される相対的に狭い表示領域７４と、アイコン群７６の表示領域とで構成されている。表示領域７２には、面付け前の紙７８（３Ｄプレビューデータ）を上方から俯瞰した画像が三次元表示されている。また、表示領域７４には、各ページ８０（Ａ４サイズ）が上から順に表示されている。
【００６１】
次のステップＳ３において、ユーザは、マウス３４を操作して、例えば、表示領域７４に表示された第１ページ（ページ８０）をクリックし、表示領域７４の紙７８までドラッグする。これにより、図５に示すように、表示領域７２には、第１ページ（ページ８２）が三次元表示される。なお、図４及び図５において、表示領域７４中、マウス３４でクリックされた第１ページの箇所は、網掛け表示されている。
【００６２】
また、ステップＳ３においても、ステップＳ２と同様に、ユーザによるマウス３４の操作に起因して、３Ｄデータ作成部６０は、ページ８２に応じた３Ｄプレビューデータを作成する。また、表示制御部４６は、３Ｄプレビューデータに応じた表示制御信号を表示部２８に出力して、表示領域７２にページ８２を三次元表示させる。
【００６３】
図５では、第１ページをドラッグした場合を図示しているが、他のページをドラッグした場合でも、同様に三次元表示させることができる。つまり、ユーザは、表示部２８の表示内容（３Ｄプレビューデータ）を見ながら、マウス３４を操作して、紙７８に対する所望のページ８０の割り当て作業を行うことができる。
【００６４】
一方、ステップＳ４において、面付け処理部５４は、紙７８のサイズ及びページ８０のサイズから、１枚の紙７８に割り当てることができるページ数を計算する。前述のように、紙７８のサイズがＳＲＡ３であり、ページ８０のサイズがＡ４であるため、面付け処理部５４は、図６に示すように、１枚の紙７８の一面に２ページ分だけ割り当てることを決定する。
【００６５】
次のステップＳ５において、ユーザは、マウス３４を操作して、アイコン群７６中の所望のアイコンをクリックし、折り丁又は最終印刷物４０の形態（例えば、折り丁の外観）に応じた三次元表示を行うよう、制御部４２に指示する。
【００６６】
これにより、ＲＩＰ処理部５６は、入力部３０からの指示内容に従って、折り丁を模擬した仮想印刷物を含むラスタ形式データを生成する。また、形状モデル決定部５８は、前記指示内容に従って、折り丁の外観を示す三次元の形状モデルにより、仮想印刷物を表示部２８の３Ｄビュー画面７０に表示させることを決定する。３Ｄデータ作成部６０は、形状モデル決定部５８で決定された形状モデルに従って、仮想印刷物の画像を三次元画像（３Ｄプレビューデータ）として生成する。
【００６７】
この結果、表示制御部４６は、ラスタ形式データのうち、仮想印刷物の画像については、前記３Ｄプレビューデータに応じた表示制御信号として表示部２８に出力する。また、表示制御部４６は、３Ｄプレビューデータ以外のデータについては、該ラスタ形式データに応じた表示制御信号を表示部２８に出力する。これにより、図７に示すように、表示領域７２には、折り丁を模擬した仮想印刷物８４の外観が三次元表示される。
【００６８】
ここで、ユーザがマウス３４を操作して仮想印刷物８４の背８６をダブルクリックすると、仮想印刷物８４の綴じ方向及び綴じ方を示す表示領域８８が表示領域７２に表示される。従って、ユーザは、マウス３４を操作して、左綴じを示す記号（綴じ方向の左側の記号）又は右綴じを示す記号（綴じ方向の右側の記号）をクリックすることで、綴じ方向を制御部４２に指示することができる。また、ユーザは、マウス３４を操作して、中綴じを示す記号（綴じ方の左側の記号）又は平綴じを示す記号（綴じ方の右側の記号）をクリックすることで、綴じ方を制御部４２に指示することができる。
【００６９】
この結果、面付け処理部５４は、マウス３４からの指示内容に示す綴じ方向及び綴じ方を面付けデータに反映することができる。また、表示部２８は、ユーザが指示した綴じ方向及び綴じ方に応じた仮想印刷物８４の三次元表示を行うことができる。なお、図７は、仮想印刷物８４として上製本を表示した場合を示している。従って、仮想印刷物８４には、上製本の各ページ９０や小口９４も図示されている。
【００７０】
また、ステップＳ５においても、ステップＳ２〜Ｓ４と同様に、ユーザによるマウス３４の操作に応じて、面付け処理部５４、ＲＩＰ処理部５６、形状モデル決定部５８、３Ｄデータ作成部６０、表示制御部４６及び表示部２８は、仮想印刷物８４を三次元表示させるための所定の処理をそれぞれ行うことは勿論である。
【００７１】
次のステップＳ６において、ユーザは、マウス３４を操作して、アイコン群７６中の所望のアイコンをクリックすることにより、表示部２８への紙情報の表示を指示する。これにより、制御部４２は、マウス３４からの指示内容に従って、紙情報蓄積部６６から紙情報を読み出す。また、ＲＩＰ処理部５６は、紙情報のラスタ形式データを作成し、表示制御部４６は、ラスタ形式データの表示制御信号を表示部２８に出力する。この結果、図８に示すように、表示部２８の画面９２には、紙情報蓄積部６６に蓄積された紙情報の一覧が表示される。
【００７２】
なお、図８に示す紙情報は、端物３８及び最終印刷物４０に使用可能な紙の情報である。従って、画面９２には、紙毎に、ダイレクトプリント用のコート紙（Ｃｏａｔｅｄ  Ｐａｐｅｒ）又は非コート紙（Ｕｎｃｏａｔｅｄ  Ｐａｐｅｒ）の種別、紙の材質、坪量、表面及び裏面の加工形態（コーティング有り又は無し）の各種の情報が表示されている。
【００７３】
そして、ユーザは、マウス３４を操作し、画面９２に表示された紙情報のリストから、端物３８及び最終印刷物４０として出力したい紙の紙情報を選択する。図８では、ユーザがマウス３４を操作して選択した紙情報を網掛け表示している。
【００７４】
従って、面付け処理部５４は、マウス３４からの指示内容に示す紙情報を面付けデータに反映する。ＲＩＰ処理部５６は、反映後の面付けデータに応じたラスタ形式データを作成する。３Ｄデータ作成部６０は、ラスタ形式データのうち、仮想印刷物８４の画像について、３Ｄプレビューデータを作成する。この結果、表示部２８は、ユーザが選択した紙情報に応じた形態の仮想印刷物８４を三次元表示させることができる。
【００７５】
次のステップＳ７において、紙厚情報取得部６２は、ユーザが選択した紙情報中の坪量及び表面加工の形態から、当該紙情報に応じた紙の紙厚を特定する。また、ステップＳ８において、クリープ量算出部６４は、紙厚情報取得部６２が取得した紙厚と仮想印刷物８４のページ数とを用いて、小口９４でのクリープ量を算出する。従って、面付け処理部５４は、紙厚及びクリープ量も面付けデータに反映する。
【００７６】
この結果、ＲＩＰ処理部５６は、反映後の面付けデータに応じたラスタ形式データを作成する。３Ｄデータ作成部６０は、ラスタ形式データのうち、仮想印刷物８４の画像について、３Ｄプレビューデータを作成する。これにより、表示部２８は、図９Ａ及び図９Ｂに示すように、紙厚及びクリープ量に応じた形態の仮想印刷物８４を三次元表示させることができる。なお、図９Ａは、所定のクリープ量を有する仮想印刷物８４を示し、図９Ｂは、クリープ量が略０の仮想印刷物８４を示している。
【００７７】
次のステップＳ９において、ユーザは、３Ｄビュー画面７０に表示された仮想印刷物８４の三次元表示を見て、面付けデータの作成が完了したか（仮想印刷物８４に対する面付け作業が終了したか）否かを確認する。
【００７８】
この場合、ユーザは、図７、図９Ａ及び図９Ｂに示す上製本の外観に加え、図１０に示すように、上製本を開いてページ９０を捲る状態から、面付けデータの作成完了を確認してもよい。
【００７９】
ページ９０を捲る状態を三次元表示させる場合、ユーザは、マウス３４を操作して、アイコン群７６中の所望のアイコンをクリックする。これにより、形状モデル決定部５８は、仮想印刷物８４の形状モデルを、ページ９０を捲る状態に応じた三次元モデルに変更することを決定する。３Ｄデータ作成部６０は、ＲＩＰ処理部５６で作成されたラスタ形式データ中、仮想印刷物８４の画像について、変更後の三次元モデルに基づく３Ｄプレビューデータとして生成する。
【００８０】
これにより、表示制御部４６は、３Ｄプレビューデータの表示制御信号を含む各種の表示制御信号を表示部２８に出力する。表示部２８は、表示制御信号に従って、仮想印刷物８４の三次元表示を、図１０に示すページ９０を捲る状態の三次元表示に変更する。
【００８１】
従って、ユーザは、図７、図９Ａ及び図９Ｂの仮想印刷物８４の外観の三次元表示を見て、紙厚及びクリープ量が適切であるか否かを判断する。また、ユーザは、図１０に示すページ９０を捲る状態を見て、紙の種類及びページの割り当て等が適切であるか否かを判断する。
【００８２】
そして、ステップＳ９において、面付け作業が完了していなければ（ステップＳ９：ＮＯ）、完了していない工程に応じて、ステップＳ１、Ｓ３、Ｓ５、Ｓ６のいずれかのステップに戻り、面付け作業を再度行う。また、ステップＳ１に戻って作業を行う場合には、３Ｄビュー画面７０が既に立ち上がっているため、ステップＳ２の処理を省略してもよい。
【００８３】
このように、ユーザは、３Ｄビュー画面７０の表示内容を見ながら、仮想印刷物８４の仕上がり結果を確認し、面付けデータの作成を行うことができる。
【００８４】
面付け作業の完了を確認した場合（ステップＳ１０：ＹＥＳ）、ユーザは、マウス３４を操作して、アイコン群７６中の所望のアイコンをクリックすることにより、設定された面付けデータの内容を表示部２８に表示させるように指示する。面付け処理部５４は、マウス３４からの指示によって面付け作業が完了したことを認識し、次に、面付けデータをメモリ５０に記憶すると共に、ＲＩＰ処理部５６に出力する。ＲＩＰ処理部５６は、入力された面付けデータについて、ラスタ形式データを作成する。
【００８５】
形状モデル決定部５８は、マウス３４からの指示内容に従って、仮想印刷物８４の画像については、二次元モデルに応じた画像にすることを決定する。３Ｄデータ作成部６０は、形状モデル決定部５８での決定結果に基づいて、３Ｄプレビューデータの作成を行わず、ラスタ形式データを表示制御部４６に出力する。
【００８６】
表示制御部４６は、ラスタ形式データのうち、仮想印刷物８４の画像については、二次元表示に応じた表示制御信号を表示部２８に出力し、一方で、仮想印刷物８４以外のデータについては、該ラスタ形式データに応じた表示制御信号を表示部２８に出力する。
【００８７】
図１１は、設定後の面付けデータを表示部２８に表示した設定完了画面１００を示したものである。
【００８８】
設定完了画面１００は、左側に表示された表示領域１０２、１０４と、右側に表示された表示領域１０６と、アイコン群１０８を表示する表示領域とから構成される。
【００８９】
表示領域１０２には、紙７８に２ページ分だけ割り当てられた仮想印刷物８４が二次元表示されている。この場合、仮想印刷物８４には、仮想印刷物８４の画像（レンダリングされたビットマップ）を切り取るための領域１１０、版面１１２、及び、複数のトンボ１１４、１１６が割り当てられている。
【００９０】
また、表示領域１０４には、複数の表示領域１１８、１２０が設けられている。各表示領域１１８、１２０には、１枚の紙７８の表面及び裏面で複数のページ８０（８２）を割り当てた状態が二次元表示されている。
【００９１】
さらに、表示領域１０６には、設定された面付けデータの具体的内容が表示されている。なお、「Ｆ４−１」は、面付けデータがフォールドデータであって、シート数が４枚、折り丁の先頭ページが１ページであることを示している。
【００９２】
［本実施形態の効果］
以上説明したように、本実施形態では、仮想印刷物８４に対する面付けの過程を表示部２８に三次元表示させる。また、本実施形態では、実際の端物３８及び最終印刷物４０の形態に関わる形態情報を考慮して、仮想印刷物８４に対する面付けを行い、面付けデータを生成する。この場合、ユーザが入力部３０を操作して選択（指示）した形態情報に基づいて面付けデータが生成される。すなわち、選択された形態情報と、面付けの過程で表示部２８に三次元表示される面付けデータとは、一意に対応付けられている。
【００９３】
これにより、端物３８及び最終印刷物４０の形態に近い形で、仮想印刷物８４を表示部２８に三次元表示させ、当該仮想印刷物８４に対する面付けを行うことができる。そのため、ユーザは、表示部２８に表示された三次元モデルである仮想印刷物８４を操作して、所望の面付けデータを生成することができる。従って、本実施形態では、仮想印刷物８４に対する面付けを容易に且つ効率よく行うことが可能となる。
【００９４】
すなわち、データ生成装置１０がＧＵＩの機能を具備するため、ユーザは、表示部２８の３Ｄビュー画面７０に三次元表示された仮想印刷物８４を見ながら、マウス３４を操作することができる。これにより、選択した形態情報に応じて仮想印刷物８４の見え方を変化させることができる。この結果、実際の端物３８及び最終印刷物４０により近い形で仮想印刷物８４を表示させることが可能となる。
【００９５】
なお、本実施形態において、形態情報としては、端物３８及び最終印刷物４０の形態に関わる情報であればよい。従って、形態情報には、上述した情報に限定されることはなく、ブリードや仕上がりサイズ等、種々の情報も形態情報として含めてもよい。
【００９６】
また、ユーザは、マウス３４を操作することにより、紙情報蓄積部６６に蓄積された複数種類の紙の紙情報のうち、所望の紙情報を選択することができる。これにより、紙厚情報取得部６２は、選択した紙情報に応じた紙厚を取得し、クリープ量算出部６４は、面付けされるページ数及び紙厚に基づいて、最終印刷物４０のクリープ量を算出することができる。この結果、面付け処理部５４は、紙厚、クリープ量、折り丁の綴じ方向及び綴じ方、並びに、ページのレイアウトに基づいて、面付けデータを生成することができる。
【００９７】
つまり、ユーザがマウス３４を操作して紙情報を選択すると、データ生成装置１０内では、紙厚及びクリープ量を自動的に特定し、特定した結果も含めて面付けデータに反映することができる。これにより、実際の最終印刷物４０により近い形態で仮想印刷物８４を三次元表示させることが可能となり、面付けを一層容易に行うことができる。
【００９８】
なお、本発明は、上記の説明に限定されることはなく、種々の改変が可能であることは勿論である。
【符号の説明】
【００９９】
１０…データ生成装置                      １２…印刷システム
１４…製版サイト                          ２８…表示部
３０…入力部                              ３２…キーボード
３４…マウス                              ３８…端物
４０…最終印刷物                          ４２…制御部
４６…表示制御部                          ５０…メモリ
５２…サイズ設定部                        ５４…面付け処理部
５６…ＲＩＰ処理部                        ５８…形状モデル決定部
６０…３Ｄデータ作成部                    ６２…紙厚情報取得部
６４…クリープ量算出部                    ６６…紙情報蓄積部
７０…３Ｄビュー画面
７２、７４、１０２〜１０６…表示領域      ７６、１０８…アイコン群
７８…紙                                  ８０、８２、９０…ページ
８４…仮想印刷物                          ９２…画面
１００…設定完了画面
【図１】
2014191388.tif 000003
【図２】
2014191388.tif 000004
【図３】
2014191388.tif 000005
【図４】
2014191388.tif 000006
【図５】
2014191388.tif 000007
【図６】
2014191388.tif 000008
【図７】
2014191388.tif 000009
【図８】
2014191388.tif 000010
【図９】
2014191388.tif 000011
【図１０】
2014191388.tif 000012
【図１１】
2014191388.tif 000013